(57)【要約】【課題】従来はカラオケの予約の際に、カラオケ専用の楽曲指定装置を必要とし、また、利用者が歌いたい曲であったとしても、曲名やアーティスト名が思い出せないことがあり、その結果カラオケの予約に時間がかかる。【解決手段】携帯情報端末１００は、本来の楽曲再生機能に加えて、カラオケ予約機能を有する。携帯情報端末１００は楽曲リストを表示させて、それを利用することにより、利用者自身が歌いたい楽曲は即座に選択することが可能である。楽曲を選択することにより、携帯情報端末１００は選択した楽曲のカラオケ楽曲ＩＤを検索して、カラオケ選曲装置２００へ送信する。カラオケ選曲装置２００は、利用者により歌いたい楽曲が選択されると、選択された楽曲に対応するカラオケ楽曲ＩＤを、携帯情報端末１００とカラオケ再生装置３００へ送信して、対応する楽曲データなどをデータベース５００から受信させる。【選択図】図１
2007225740.tif 000002
【特許請求の範囲】
【請求項１】
外部の選曲装置と共に選曲システムを構成しており、楽曲関連情報を前記選曲装置に送信し、前記選曲装置により前記楽曲関連情報が示す楽曲を選曲させる携帯情報端末であって、
楽曲名、楽曲ＩＤ及び楽曲リストを少なくとも含む前記楽曲関連情報を記憶する記憶手段と、
前記楽曲関連情報を表示する表示手段と、
前記表示手段に表示された前記楽曲関連情報の中から、任意に選択した楽曲に関する楽曲関連情報を選択して前記選曲装置へ送信する選択及び送信手段と、
前記選曲装置が受信した前記楽曲関連情報が示す楽曲に対応した楽曲ＩＤを受信して、前記記憶手段に記憶されている前記楽曲関連情報を更新する受信及び更新手段と、
記憶している楽曲の中から任意の楽曲を選択して再生する再生手段と
を有することを特徴とする携帯情報端末。
【請求項２】
外部の携帯情報端末と共に選曲システムを構成しており、前記携帯情報端末から送信された楽曲関連情報を受信し、その楽曲関連情報が示す楽曲を選曲する選曲装置であって、
前記携帯情報端末から送信された、楽曲名、楽曲ＩＤ及び楽曲リストを少なくとも含む楽曲関連情報を受信する楽曲関連情報受信手段と、
前記楽曲関連情報受信手段が受信した前記楽曲関連情報に基づいて、選曲リストを表示する表示手段と、
前記選曲リストから選択された所望の楽曲の予約入力を受ける予約手段(204)と、
前記予約手段により予約された前記所望の楽曲の楽曲関連情報を、外部の再生装置へ送信して、その所望の楽曲を再生させる第１の送信手段と、
前記再生装置へ送信した前記所望の楽曲の楽曲ＩＤを、前記携帯情報端末へ応答送信する第２の送信手段と
を有することを特徴とする選曲装置。
【発明の詳細な説明】
【技術分野】
【０００１】
本発明は携帯情報端末及び選曲装置に係り、特に選曲システムを構成し、複数の楽曲の中から任意の楽曲を選曲する携帯情報端末及び選曲装置に関する。
【背景技術】
【０００２】
従来、カラオケ店等においてカラオケ再生装置を利用する際、利用者は、曲名とその曲に対応する選曲番号を記載した冊子（曲目本）などから歌いたい曲を探し出し、選曲番号を選曲装置に入力している。しかし、一般に曲名とその曲に対応する選曲番号を記載した冊子（曲目本）には極めて多数の曲目が記載されているため、その中の所望の曲名から、あるいはその所望の曲を歌う歌手名から所望の曲を検索して更に選曲番号を探し出す作業が煩雑であり、また選曲番号が通常は多数桁からなるので、その選曲番号を選曲装置に入力する作業も煩雑である。
【０００３】
そこで、カラオケ店利用者が極めて多数の曲名が記載されている冊子から所望の曲に対応する選曲番号を探す作業、及び選曲装置への入力の煩雑さを解決する方法として、カラオケボックスサーバが提供する楽曲情報配信用のサイトに、利用者が所有する携帯情報端末やパーソナルコンピュータ等によって接続して、利用者が希望する楽曲のカラオケデータを上記の携帯情報端末やパーソナルコンピュータに上記サイトから一旦ダウンロードして記憶させた後、当該携帯情報端末やパーソナルコンピュータからダウンロードしたカラオケデータを楽曲指定装置へ転送して記憶させる。そして、その楽曲指定装置をカラオケ演奏装置が設置されているカラオケ店へ持参して、ボタン操作により楽曲指定装置からカラオケ演奏装置に楽曲を予約する構成のシステムが従来提案されている（例えば、特許文献１参照）。
【０００４】
この提案装置によれば、楽曲指定装置の使用者は、カラオケデータを事前に取得して楽曲指定装置に記憶しておくことで、簡単な操作で自分が歌いたい楽曲をカラオケ演奏装置に指定し、それを予約することができる。
【０００５】
【特許文献１】特開２００２−８２６７９公報
【発明の開示】
【発明が解決しようとする課題】
【０００６】
しかしながら、上記の従来の楽曲を選曲するシステムでは、携帯情報端末やパーソナルコンピュータ以外にカラオケ専用の楽曲指定装置を必要とするという問題がある。また、昨今、携帯情報端末によっては１万曲程度の楽曲データを保持できるものもあり、同様に上記の楽曲指定装置も１万曲程度の楽曲特定情報（カラオケデータ）を保持した場合は、利用者が歌いたい曲をその中から探し出すのに大きな苦労を要するといった問題がある。また、利用者が歌いたい曲であったとしても、曲名やアーティスト名が思い出せないことがあり、その結果カラオケの予約に時間がかかるといった問題もある。
【０００７】
本発明は以上の点に鑑みなされたもので、カラオケ演奏装置以外のカラオケ専用の装置を用意することなく、利用者が歌いたい曲を短時間で予約することができる携帯情報端末及び選曲装置を提供することを目的とする。
【課題を解決するための手段】
【０００８】
上記の目的を達成するため、本発明の携帯情報端末は、外部の選曲装置と共に選曲システムを構成しており、楽曲関連情報を選曲装置に送信し、選曲装置により楽曲関連情報が示す楽曲を選曲させる携帯情報端末であって、楽曲名、楽曲ＩＤ及び楽曲リストを少なくとも含む楽曲関連情報を記憶する記憶手段と、楽曲関連情報を表示する表示手段と、表示手段に表示された楽曲関連情報の中から、任意に選択した楽曲に関する楽曲関連情報を選択して選曲装置へ送信する選択及び送信手段と、選曲装置が受信した楽曲関連情報が示す楽曲に対応した楽曲ＩＤを受信して、記憶手段に記憶されている楽曲関連情報を更新する受信及び更新手段と、記憶している楽曲の中から任意の楽曲を選択して再生する再生手段とを有することを特徴とする。
【０００９】
この発明では、記憶している楽曲の中から任意の楽曲を選択して再生する再生手段を備えた携帯情報端末を用いて、楽曲関連情報を外部の選曲装置に送信し、楽曲関連情報が示す楽曲を選曲装置により選曲させる楽曲の予約を行わせることができる。
【００１０】
また、上記の目的を達成するため、本発明の選曲装置は、外部の携帯情報端末と共に選曲システムを構成しており、携帯情報端末から送信された楽曲関連情報を受信し、その楽曲関連情報が示す楽曲を選曲する選曲装置であって、携帯情報端末から送信された、楽曲名、楽曲ＩＤ及び楽曲リストを少なくとも含む楽曲関連情報を受信する楽曲関連情報受信手段と、楽曲関連情報受信手段が受信した楽曲関連情報に基づいて、選曲リストを表示する表示手段と、選曲リストから選択された所望の楽曲の予約入力を受ける予約手段と、予約手段により予約された所望の楽曲の楽曲関連情報を、外部の再生装置へ送信して、その所望の楽曲を再生させる第１の送信手段と、再生装置へ送信した所望の楽曲の楽曲ＩＤを、携帯情報端末へ応答送信する第２の送信手段とを有することを特徴とする。
【００１１】
この発明では、選曲装置が携帯情報端末から送信された楽曲関連情報に基づいて表示する選曲リストにより予約された楽曲を、外部の再生装置により再生させると共に、その予約された楽曲の楽曲ＩＤを携帯情報端末へ応答送信することにより、携帯情報端末に記憶されている楽曲関連情報を更新させることができる。
【発明の効果】
【００１２】
本発明によれば、記憶している楽曲の中から任意の楽曲を選択して再生する再生機能を備えた携帯情報端末を用いて、楽曲関連情報を外部の選曲装置に送信し、楽曲関連情報が示す楽曲を選曲装置により選曲させる楽曲の予約を行わせるようにしたため、カラオケ専用の装置を用いることなくカラオケの予約ができる。
【００１３】
また、本発明によれば、楽曲関連情報は、予約ができる毎に更新させるため、楽曲関連情報の楽曲リストを参考にして、利用者が再生したい（歌いたい）楽曲の選択を可能とするため、利用者に歌いたい楽曲を従来よりも短時間で選択させるができる。
【００１４】
また、本発明によれば、選曲装置が携帯情報端末から送信された楽曲関連情報に基づいて表示する選曲リストにより予約された楽曲を、外部の再生装置により再生させると共に、その予約された楽曲の楽曲ＩＤを携帯情報端末へ応答送信することにより、携帯情報端末に記憶されている楽曲関連情報を更新させるようにしたため、携帯情報端末の利用者が楽曲関連情報の中から歌いたい楽曲を予約する際の利便性を向上させることができる。
【発明を実施するための最良の形態】
【００１５】
次に、本発明の実施の形態について図面と共に説明する。図１は本発明になる携帯情報端末及び選曲装置を備えたシステム全体のシステム構成図を示す。図１に示すように、本システムは、携帯情報端末１００と、カラオケ選曲装置２００と、更にカラオケ再生装置３００とで構成される。このうち、携帯情報端末１００はシステムの利用者個人が所有しているものであるのに対し、カラオケ選曲装置２００とカラオケ再生装置３００はカラオケ店に設置されているものである。また、携帯情報端末１００とカラオケ選曲装置２００とは狭義の選曲システムを構成している。
【００１６】
携帯情報端末１００は、システムの利用者が保存を希望した楽曲データ及び利用者が利用した楽曲の楽曲リスト等の音楽コンテンツを保持している可搬型の携帯端末装置で、例えばｉＰｏｄなどのハードディスク内蔵携帯ＭＰ３プレーヤであり、本来の楽曲再生機能に加えて、カラオケ予約機能を持たせたものである。なお、情報携帯端末１００はこれに限定されるものではなく、携帯電話機や携帯型情報端末などでも楽曲再生機能を有していればよい。
【００１７】
上記の楽曲データには、携帯情報端末１００がインターネットなどを介して、使用者が希望して受信した楽曲データに対応するカラオケ曲ＩＤなどが含まれる。携帯情報端末１００は、電子早見本といわれるカラオケ選曲装置２００と、ＵＳＢ（Universal Serial Bus）、赤外線あるいはｂｌｕｅｔｏｏｔｈ等の近距離無線などのインターフェイスにより相互に通信可能であり、携帯情報端末１００からは楽曲データや楽曲リスト等をカラオケ選曲装置２００へ送信することができる。また、カラオケ選曲装置２００からはカラオケＩＤを携帯情報端末１００へ送信することができる。
【００１８】
カラオケ選曲装置２００とカラオケ再生装置３００とは、赤外線通信や近距離無線通信で相互に通信可能であり、カラオケ選曲装置２００からカラオケ再生装置３００へカラオケ楽曲ＩＤが送信される。また、カラオケ再生装置３００は、公衆回線４００を介して、カラオケ楽曲をカラオケ楽曲データベース５００から受信できるようになっている。
【００１９】
図２は本発明になる携帯情報端末の一実施の形態のブロック図である。図２の携帯情報端末は、図１の携帯情報端末１００に相当し、この携帯情報端末１００の全体制御を行う制御部１０１と、楽曲データ及び楽曲リスト等の音楽コンテンツの転送を行うデータ転送部１０２と、楽曲情報などの表示を行う表示部１０３と、操作部１０４と、楽曲データの再生を行う再生部１０５と、楽曲データ及び楽曲リスト等を保持する蓄積部１０６とで構成される。
【００２０】
制御部１０１は、中央処理装置（ＣＰＵ）やメモリから構成され、携帯情報端末１００の全体を制御するための各種プログラムやデータを格納する。データ転送部１０２は、ＵＳＢインターフェイスなどであり、外部パーソナルコンピュータやカラオケ選曲装置２００などと通信することができる。データ転送部１０２が外部パーソナルコンピュータと通信する場合、パーソナルコンピュータがインターネットを介して所定のサイトから取得した楽曲データ及び楽曲リスト等の音楽コンテンツを受信し、制御部１０１へ出力する。また、データ転送部１０２がカラオケ選曲装置２００と通信する場合、制御部１０１から供給された楽曲データ及び楽曲リスト等の音楽コンテンツをカラオケ選曲装置２００へ送信する。
【００２１】
表示部１０３は、液晶や陰極線管（ＣＲＴ）などであり、制御部１０１から供給される各種情報の表示を行う。操作部１０４は、主に音楽コンテンツの選択や再生／停止、早送り／巻き戻し、編集などの操作を行い、ボタン、タッチパネル、リモコン、各種入力装置、音声認識を利用したデータ入力装置などである。
【００２２】
再生部１０５は、制御部１０１から供給される楽曲データに基づき、楽音信号を生成する生成回路などである。また、再生部１０５は、外部スピーカ１１０と接続することができ、生成された楽音信号を外部スピーカ１１０へ出力する。すなわち、再生部１０５は、蓄積部１０６に蓄積されている音楽コンテンツの中から操作部１０４により選択された音楽コンテンツの楽曲データが制御部１０１を通して入力され、これを楽音信号として再生し、スピーカ１１０よりその再生楽音を発音させる。
【００２３】
蓄積部１０６は、磁気ディスク、磁気テープ、光磁気ディスクあるいは半導体メモリ等により構成され、楽曲データ及び楽曲リスト等の音楽コンテンツを保持する。楽曲データは、ＭＰ３（MPEG-1 Audio Layer 3）形式などで圧縮されたファイルであり、図５に示すように、曲名、アーティスト名、カラオケ楽曲ＩＤ、カラオケで歌った回数を示すカラオケ回数、携帯情報端末１００の本来の再生機能を利用して再生部１０５により楽曲を再生した再生回数などの情報を含む。
【００２４】
また、上記の楽曲リストは図６に示すような形態をしており、携帯情報端末１００の本来の再生機能を利用して最近再生した楽曲のリストである最近再生した曲リスト６０１、携帯情報端末１００の所有者である利用者のお気に入りの複数の曲を順位付けたお気に入りリスト６０２、携帯情報端末１００に保存されている楽曲データの全楽曲の中で再生回数が多い順に上位１０曲をリストアップしたトップ１０の情報６０３、利用者がカラオケで歌いたい１又は２以上の楽曲をリストアップしたカラオケ楽曲リスト６０４、カラオケで歌った回数が多い順に上位１０曲をリストアップしたカラオケトップ１０の情報６０５などが含まれる。なお、最近カラオケで歌った曲のリストを更に設けてもよい。
【００２５】
図３は本発明になる選曲装置の一実施の形態のブロック図を示す。本実施の形態の選曲装置は、図１のカラオケ選曲装置２００に相当し、カラオケ選曲装置２００の全体制御を行う制御部２０１と、楽曲データ及び楽曲リスト等の音楽コンテンツの転送を行うデータ転送部２０２と、カラオケ曲の選曲リストなどの表示を行う表示部２０３と、操作部２０４と、カラオケ再生装置３００へカラオケ楽曲ＩＤを送信するリモコン送信部２０５とで構成される。
【００２６】
制御部２０１は、中央処理装置（ＣＰＵ）やメモリから構成され、カラオケ選曲装置２００の全体を制御するための各種プログラムやデータを格納する。データ転送部２０２は、図２に示したデータ転送部１０２と同様の作用を有している。表示部２０３は、液晶や陰極線管（ＣＲＴ）などであり、制御部２０１から供給される各種情報の表示を行う。操作部２０４は、楽曲リストから歌いたい曲を選択するための決定ボタンや、カラオケ楽曲ＩＤの入力を行うためのテンキーなどであり、表示部２０３に備えられたタッチパネルや、リモコン、各種入力装置、音声認識を利用したデータ入力装置なども含まれる。リモコン送信部２０５は赤外線通信や近距離無線通信のモジュールであり、カラオケ楽曲ＩＤをカラオケ再生装置３００へ送信する。
【００２７】
図４は図１中のカラオケ再生装置３００の一例のブロック図を示す。カラオケ再生装置３００は、カラオケ再生装置３００の全体制御を行う制御部３０１と、カラオケ選曲装置２００からカラオケ楽曲ＩＤを受信するリモコン受信部３０２と、リモコン受信部３０２が受信したカラオケ楽曲ＩＤやカラオケ再生装置３００の各種設定情報などを表示する表示部３０３と、操作部３０４と、マイクロフォンからの入力信号を受信する入力部３０５と、新曲データ等を図１のカラオケ曲データベース５００から公衆回線４００を介して受信する通信部３０６と、カラオケ楽曲などの再生を行う再生部３０７とで構成される。
【００２８】
制御部３０１は、中央処理装置（ＣＰＵ）やメモリから構成され、カラオケ選曲装置３００の全体を制御するための各種プログラムやデータを格納する。リモコン受信部３０２は、赤外線通信や近距離無線通信のモジュールであり、カラオケ選曲装置２００から送信されたカラオケ楽曲ＩＤを受信し、制御部３０１へ出力する。表示部３０３は、液晶や陰極線管（ＣＲＴ）などであり、制御部３０１から供給される各種情報の表示を行う。操作部３０４は、カラオケ再生装置３００の再生音量や音のバランス、カラオケ楽曲の再生速度等の操作を行うための各種入力装置である。
【００２９】
入力部３０５は、外部マイクロフォンからの入力信号を受信する入力端子や無線受信部を備えており、入力信号を増幅するなどして制御部３０１へ出力する。再生部３０７は、制御部３０１から入力されたカラオケ楽曲情報を再生し外部のスピーカ３１０へ出力する。また、再生部３０７は、制御部３０１から入力された背景画像情報及び歌詞テロップ情報の再生を行い、外部表示装置３２０へ出力する。
【００３０】
次に、フローチャートを参照しながら本実施の形態の動作を説明する。図７は利用者が歌いたい楽曲の予約を、携帯情報端末１００に保持しているカラオケ楽曲リストを利用して行う場合のフローチャートである。初めに利用者は、カラオケ選曲装置２００へ携帯情報端末１００を接続し、携帯情報端末１００が保持する図５に示した楽曲データのうちカラオケ楽曲ＩＤを選択してカラオケ選曲装置２００へ送信する（図７のステップＳ１１）。このとき、携帯情報端末１００のデータ転送部１０２からカラオケ選曲装置２００のデータ転送部２０２へ、カラオケ楽曲ＩＤが送信される。
【００３１】
ここで、携帯情報端末１００には、利用者が予めパーソナルコンピュータを利用してインターネットを介して所定のサイトから取得した、利用者が希望する楽曲データのみが、パーソナルコンピュータから取り込まれて図２の蓄積部１０６に蓄積され、また図６に示した楽曲リストも蓄積部１０６に蓄積されているので、楽曲リスト中の例えばカラオケ楽曲リスト６０４やカラオケトップ１０の情報６０５を表示部１０３にメニュー表示させて、それを利用することにより、蓄積部１０６に膨大な数の楽曲データが蓄積されていたとしても、利用者自身が歌いたい楽曲は即座に選択することが可能である。
【００３２】
また、楽曲を選択することにより、携帯情報端末１００の制御部１０１は蓄積部１０６の図５に示した楽曲データから選択した楽曲の曲名からカラオケ楽曲ＩＤを検索して、データ転送部１０２からカラオケ選曲装置２００へ送信する。
【００３３】
カラオケ選曲装置２００は、データ転送部２０２で携帯情報端末１００からのカラオケ楽曲ＩＤを受信すると、制御部２０１により自身が保持するカラオケ楽曲データの中から該当する楽曲名を検索し、表示部２０３へ楽曲名を表示する（図７のステップＳ１２）。利用者は、カラオケ選曲装置２００の操作部２０４を用いて、表示部２０３に表示された楽曲の中から歌いたい楽曲を選択し予約する（図７のステップＳ１３）。
【００３４】
カラオケ選曲装置２００は、利用者により歌いたい楽曲が選択されると、選択された楽曲に対応するカラオケ楽曲ＩＤを、データ転送部２０２から携帯情報端末１００のデータ転送部１０２へ、また、リモコン送信部２０５からカラオケ再生装置３００のリモコン受信部３０２へ送信する（図７のステップＳ１４）。
【００３５】
カラオケ再生装置３００は、カラオケ楽曲ＩＤをリモコン受信部３０２で受信すると、制御部３０１によりカラオケ楽曲ＩＤが予約されたものと判断し、通信部３０６よりカラオケ楽曲ＩＤを、公衆回線４００を介してカラオケ曲データベース５００へ送信する。カラオケ曲データベース５００は、受信したカラオケ楽曲ＩＤに対応する楽曲データや背景画像情報、歌詞テロップ情報を公衆回線４００を介してカラオケ再生装置３００へ応答送信する。
【００３６】
一方、携帯情報端末１００においては、データ転送部１０２がカラオケ楽曲ＩＤを受信して制御部１０１へ出力すると、制御部１０１は入力されたカラオケ楽曲ＩＤに基づいて蓄積部１０６が保持する楽曲データの中から対応する曲名の楽曲を検索し、その楽曲のカラオケ回数を更新する（図７のステップＳ１５）。また、同時に、楽曲リストにおいてカラオケ回数に関係する項目がある場合は、その項目の更新も行う。このように、本実施の形態では、カラオケ専用の装置を用いることなく、携帯情報端末１００を利用して、利用者がカラオケ店で歌いたい楽曲を極めて短時間に予約設定することができる。
【００３７】
図８は利用者が歌いたい曲の予約をカラオケ選曲装置２００のカラオケ楽曲リストを利用して行う場合のフローチャートである。カラオケ選曲装置２００は、その表示部２０３に選曲リストであるカラオケ楽曲リストを表示し、その中から歌いたい楽曲を利用者が操作部２０４を用いて選択（予約）すると、その選択した楽曲のカラオケ楽曲ＩＤが制御部２０１に入力される（図８のステップＳ２１）。
【００３８】
カラオケ選曲装置２００は、利用者により予約された歌いたい楽曲のカラオケ楽曲ＩＤが入力されると、カラオケ楽曲ＩＤをデータ転送部２０２から携帯情報端末１００のデータ転送部１０２へ、また、リモコン送信部２０５からカラオケ再生装置３００のリモコン受信部３０２へ送信する（図８のステップＳ２２）。
【００３９】
携帯情報端末１００では、データ転送部１０２がカラオケ楽曲ＩＤを受信して制御部１０１へ出力すると、制御部１０１が入力されたカラオケ楽曲ＩＤに基づいて、蓄積部１０６が保持する図５に示した楽曲データの中から対応する楽曲を検索する（図８のステップＳ２３）。該当する楽曲があった場合は（図８のステップＳ２３のＹＥＳ）、その楽曲のカラオケ回数を更新する（図８のステップＳ２４）。他方、該当する楽曲が無かった場合は、カラオケ回数を更新することなく処理を終了する。
【００４０】
以上説明したように、本実施の形態の携帯情報端末１００においては、利用者が歌いたいカラオケ曲を予めカラオケ楽曲リスト６０４として登録しておき、カラオケの楽曲指定時にそのカラオケ楽曲リスト６０４を表示部１０３に表示することにより、容易に所望する楽曲を選択することができる。また、携帯情報端末１００は過去にカラオケ店で歌った回数を楽曲データとして保持しているので、例えば、利用者がカラオケの練習のために再生する曲を選択する際に、今まで歌ったことのある楽曲情報に基づいて作成されるカラオケトップ１０の情報６０５などを利用するなど、使い勝手が向上する。
【図面の簡単な説明】
【００４１】
【図１】本発明の携帯情報端末及び選曲装置を備えたシステム全体のシステム構成図である。
【図２】本発明の携帯情報端末の一実施の形態のブロック図である。
【図３】本発明のカラオケ選曲装置の一実施の形態のブロック図である。
【図４】図１中のカラオケ再生装置の一例のブロック図である。
【図５】本発明の携帯情報端末が保持する楽曲データの一例である。
【図６】本発明の携帯情報端末が保持する楽曲リスト情報の一例である。
【図７】本発明の携帯情報端末のカラオケ楽曲リスト使用による楽曲予約時のフローチャートである。
【図８】本発明のカラオケ選曲装置のカラオケ楽曲リスト利用による楽曲予約時のフローチャートである。
【符号の説明】
【００４２】
１００  携帯情報端末
１０１、２０１、３０１  制御部
１０２、２０２  データ転送部
１０３、２０３、３０３  表示部
１０４、３０４  操作部
１０５、３０７  再生部
１０６  蓄積部
１１０、  ３１０  スピーカ
２００  カラオケ選曲装置
２０５  リモコン送信部
３００  カラオケ再生装置
３０２  リモコン受信部
３０５  入力部
３０６  通信部
３２０  表示装置
４００  公衆回線
５００  カラオケ曲データベース
【図１】
2007225740.tif 000003
【図２】
2007225740.tif 000004
【図３】
2007225740.tif 000005
【図４】
2007225740.tif 000006
【図５】
2007225740.tif 000007
【図６】
2007225740.tif 000008
【図７】
2007225740.tif 000009
【図８】
2007225740.tif 000010